(57)【要約】  手持ち式電子装置（１００；２００）は、ユーザインタフェース（１０２）と、重力に対するこの装置の向きを感知するセンサ（１０４）と、感知された向きに依存して、装置の向きを制御するための電子回路（１０８）とを有している。センサは、重力の制御の下で、装置の異なる位置において装置のハウジングに対して異なる位置をとるような接触体（３００）を有している。センサは、装置に対して固定して取り付けられた基板（７０２）を有する。基板は、電子回路に接続された電気接点（７０４）の第１のペアと、電子回路に接続された電気接点（７０６）の第２のペアとを有する。接触体は、基板と対向する面（４０２）を有している。この面は、接触体が第１の位置をとる場合に、電気接点の第１のペアと電気的に相互接続し、接触体が第２の位置をとる場合に、電気接点の第２のペアと電気的に相互接続する。
2015523025.tif 000002
【特許請求の範囲】
【請求項１】
手持ち式電子装置であって、当該手持ち式電子装置は：
ユーザが前記手持ち式電子装置と情報をやり取りすることを可能にするように構成されたユーザインタフェースと；
重力に対する前記手持ち式電子装置の複数の向きのそれぞれを感知するように構成された姿勢センサと；
感知されたそれぞれの向きに依存して、前記手持ち式電子装置の動作を制御するように作動する電子回路と；を備えており、
前記姿勢センサは、接触体を含み、
該接触体は、重力の制御の下で、前記複数の向きのうちの第１の向きに依存して、前記手持ち式電子装置のハウジングに対する第１の位置をとるように動作し、
前記接触体は、重力の制御の下で、前記複数の向きのうちの第２の向きに依存して、前記ハウジングに対する第２の位置をとるように動作し、
第１の位置は、第２の位置とは異なっており、
第１の向きは、第２の向きとは異なっており、
前記姿勢センサは、前記ハウジングに対して固定して取り付けられた基板を有しており、該基板は、前記電子回路に接続された第１の電気接点の第１のペアと前記電子回路に接続された第２の電気接点の第２のペアとを収容しており、
前記接触体は、前記基板と対向する面を有しており、
前記面は、前記接触体が第１の位置をとる場合に、第１の電気接点の第１のペアと電気的に相互接続し、前記接触体が第２の位置をとる場合に、第２の電気接点の第２のペアと電気的に相互接続するように構成される、
手持ち式電子装置。
【請求項２】
前記接触体及び電気接点の複数のペアは、異物の侵入に対して実質的に密閉された区画内に収容されている、
請求項１に記載の手持ち式電子装置。
【請求項３】
前記接触体は、旋回軸上で旋回するように配置されており、
前記旋回軸は、ハウジングに固定されており、
前記接触体は、前記旋回軸から離れて位置する重心を有する、
請求項１に記載の手持ち式電子装置。
【請求項４】
前記接触体は、導電性材料の表面を有するストリップとして形成される、
請求項１に記載の手持ち式電子装置。
【請求項５】
ユーザが前記ユーザインタフェースと情報をやり取りすることに応答して、制御可能な装置を遠隔から制御するためのリモート制御装置を備える、
請求項１に記載の手持ち式装置。
【請求項６】
重力に対する複数の向きのそれぞれを感知するように構成された姿勢センサであって：
前記姿勢センサは、第１の電気接点の第１のペアと第２の電気接点の第２のペアとを収容する基板を有しており、
前記姿勢センサは、接触体を有しており、
該接触体は、重力の制御の下で、重力に対する前記基板の複数の向きのうちの第１の向きに依存して、前記基板に対する第１の位置をとるように動作し、
前記接触体は、重力の制御の下で、重力に対する前記基板の複数の向きのうちの第２の向きに依存して、前記基板に対する第２の位置をとるように動作し、
第１の位置は、第２の位置とは異なっており、
第１の向きは、第２の向きとは異なっており、
前記接触体は、前記基板と対向する面を有しており、
前記面は、前記接触体が第１の位置をとる場合に、第１の電気接点の第１のペアと電気的に相互接続し、前記接触体が第２の位置をとる場合に、第２の電気接点の第２のペアと電気的に相互接続するように構成される、
姿勢センサ。
【請求項７】
前記接触体及び電気接点の複数のペアは、異物の侵入に対して実質的に密閉された区画内に収容されている、
請求項６に記載の姿勢センサ。
【請求項８】
前記接触体は、旋回軸上で旋回するように配置されており、
前記旋回軸は、前記基板に対して固定されており、
前記接触体は、前記旋回軸から離れて位置する重心を有する、
請求項６に記載の姿勢センサ。
【請求項９】
前記接触体は、導電性材料の表面を有するストリップとして形成される、
請求項６に記載の姿勢センサ。
【発明の詳細な説明】
【技術分野】
【０００１】
本発明は、ユーザが手持ち式電子装置と情報をやり取りすることを可能にするように構成されるユーザインタフェースと、重力に対する手持ち式電子装置の複数の向きのそれぞれを感知するように構成される姿勢センサと、感知されたそれぞれの向きに依存して、手持ち式電子装置の動作を制御するように作動する電子回路とを有する手持ち式電子装置に関する。本発明は、このような装置で使用するための姿勢センサにも関する。
【背景技術】
【０００２】
上述した構成の手持ち式電子装置は、”Two-sided handheld remote control”という標題の米国特許出願公開第２０１０／０２７１２３１号により知られており、この文献は参照することにより本明細書に組み入れられる。米国特許出願公開第２０１０／０２７１２３１号には、両面式リモート制御装置が開示されており、この両面式リモート制御装置は、送信機を制御する及び／又は送信機と通信するための論理装置と、両面式リモート制御装置の両側の２セットのボタンの状態を検出するボタン検知器とを含む。ボタンの両方のセットは、ボタンの一方のセットが常に上向きに向いており、且つユーザが期待する場所にボタンのセットを含むように、それぞれの面上の同じ位置にある。両面式リモート制御装置は、下向き面のボタンが気にならないようにボタンが押されるように用いることができる方向感知器をさらに含むことができる。米国特許出願公開第２０１０／０２７１２３１号には、方向感知器の例として、気圧スイッチ、回転ボール式センサ、及び向きに依存して一方向又は他の方向に屈曲するカンチレバー式センサについて言及している。静電容量センサは、リモート制御装置が手で保持されるときであって、この手の質量の大部分がリモート制御装置の底部に存在する際に、上側に比べて下側のより大きな静電容量レベルを感知することにより、方向感知器としてさらに使用することができる。
【発明の概要】
【発明が解決しようとする課題】
【０００３】
公知の姿勢センサの欠点は、本発明者らによって認識されるように、以下の１つ以上を有する：姿勢センサを手持ち式電子装置に機能的及び物理的に統合するために必要な追加のハードウェアのコスト、姿勢センサを手持ち式電子装置に設置する際の複雑性、及び公知の姿勢センサの信頼性という欠点を有する。
【課題を解決するための手段】
【０００４】
本発明者らは、手持ち式電子装置を提案する。この装置は、ユーザが手持ち式電子装置と情報をやり取りすることを可能にするように構成されたユーザインタフェースと、重力に対する手持ち式電子装置の複数の向きのそれぞれを感知するように構成された姿勢センサと、感知されたそれぞれの向きに依存して、手持ち式電子装置の動作を制御するように作動する電子回路とを有する。姿勢センサは、接触体を含む。接触体は、重力の制御の下で、複数の向きのうちの第１の向きに依存して、手持ち式電子装置のハウジングに対して第１の位置をとるように動作する。接触体は、重力の制御の下で、複数の向きのうちの第２の向きに依存して、ハウジングに対して第２の位置をとるように動作する。第１の位置は、第２の位置とは異なっており、第１の向きは、第２の向きとは異なっている。姿勢センサは、ハウジングに対して固定して取り付けられた基板を有しており、この基板は、電子回路に接続された第１の電気接点の第１のペアと、電子回路に接続された第２の電気接点の第２のペアとを収容する。接触体は、基板と対向する面を有している。この面は、接触体が第１の位置をとる場合に、第１の電気接点の第１のペアと電気的に相互接続し、及び接触体が第２の位置をとる場合に、第２の電気接点の第２のペアと電気的に相互接続するように構成されている。
【０００５】
従って、接触体は、電気接点の２つ（又はそれ以上）のペアを収容するような接触体の表面を基板に対向させるように、手持ち式電子装置に取り付けられる。接触体は、重力に対する手持ち式電子装置の異なる向きにおいて異なる位置をとるように取り付けられている。異なる位置において、接触体の表面は、電気接点の異なるペアと相互接続する。接触体は、こうして、電子回路の電気回路を形成又は遮断するように作動するような、重力制御式の導電性インターコネクタ又はスイッチとして機能する。電気回路の形成又は遮断によって、次に、手持ち式電子装置の動作が制御される。接触体の表面が、第１の電気接点及び第２の電気接点に対向することに留意されたい。この構成の結果、第１の電気接点及び第２の電気接点は、電子回路と一緒に同一基板に、例えばプリント基板（ＰＣＢ）収容することができ、こうして、手持ち式電子装置の組立を簡素化する。
【０００６】
一実施形態では、接触体及び電気接点の複数のペアは、埃、湿気等の異物の侵入に対して実質的に密閉された区画内に収容されている。
姿勢センサの信頼性のある動作を確実にするために、好ましくは、異物が、重力の制御下で、接触体の位置の変化と干渉すること、及び電気接点の関連するペアと電気的に相互接続するような接触体と干渉することが防止される。密閉区画は、例えば、手持ち式電子装置のハウジングによって、又はハウジング内の別個のチャンバによって実現してもよい。
【０００７】
さらなる実施形態では、接触体は、旋回軸上で旋回するように配置される。この旋回軸は、ハウジングに固定されており、接触体は、旋回軸から離れて位置する重心を有する。
接触体の重心が旋回軸から離れて位置する場合に、手持ち式電子装置の姿勢が重力方向に対して変化するとき、重力によって接触体が旋回する。旋回は、接触体がそのポテンシャルエネルギーを重力場において最小化することによって引き起こされ、接触体の表面が電気接点のペアの関連する１つに衝突するよって拘束される。旋回軸は、手持ち式電子装置のハウジング内の、このハウジングの内壁から基板に延びるリブの先端によって実現することができる。
【０００８】
さらなる実施形態では、接触体は、導電性材料の表面を有するストリップとして形成される。
例えば、接触体は、金属ストリップ、例えば銅ストリップ又はアルミニウム・ストリップによって形成することができる。あるいはまた、接触体は、例えばプラスチックのストリップによって形成されており、このストリップのそれぞれの領域は導電性コーティングを有しており、電気接点のそれぞれのペアと物理的に接触する。旋回軸によって、ストリップが、第１アームと第２アームとに分割される。第１のアーム及び第２アームが、実質的に不均等な質量を有するように設計することによって、接触体の重心が、旋回軸から離れて位置することになる。第１アーム及び第２アームは、例えばそれぞれの長さ及び／又は適切なプロファイル及び／又は折曲げを適切に調整することによって、不均等な質量体を有するように形成することができる。
【０００９】
さらなる実施形態では、手持ち式電子装置は、ユーザがユーザインタフェースと情報をやり取りすることに応答して、制御可能な機器、例えば家電機器を遠隔から制御するリモート制御装置を有している。
リモート制御装置が、ハウジングの両側に手動で選択可能な制御オプションを含むようなユーザインタフェースを有する場合には、姿勢センサは、ユーザと対向する側で（すなわち、実質的に上向きになる側で）、制御オプションの選択可能性を活性化するとともに、ユーザが、その操作して使用する際にリモート制御装置を保持して且つこの装置と情報のやり取りをするときに、下向き側での制御オプションの不意の選択を防止するために、他方の側で（すなわち、下向きに対向する側で）制御オプションの選択可能性を不活性化するように使用される。
【００１０】
リモート制御装置が、ハウジングの特定の単一の側でのみ手動で選択可能な制御オプションを含むようなユーザインタフェースを有する場合には、姿勢センサは、特定の面が上向きである場合に電子回路を活性化し、及び特定の面が下方に向いている場合に、消費電力を低減する及び／又は電池寿命を延ばすように、電子回路を不活性化するように使用することができる。
リモート制御装置以外の手持ち式電子装置も、上記で特定したように姿勢センサから利益を得ることもできる。このような他の手持ち式電子装置の例としては、例えば、ビデオゲームで使用されるゲーム機、携帯電話やスマートフォン、携帯情報端末（ＰＤＡ）又はパームトップ型パソコン、デジタルカメラ等が挙げられる。
【００１１】
本発明は、重力に対する複数の向きのそれぞれを感知するように構成された姿勢センサにも関する。姿勢センサは、第１の電気接点の第１のペアと第２の電気接点の第２のペアとを収容する基板を有している。姿勢センサは、接触体を含む。接触体は、重力の制御の下で、重力に対する基板の複数の向きのうちの第１の向きに依存して、基板に対して第１の位置をとるように動作する。接触体は、重力の制御の下で、重力に対する基板の複数の向きのうちの第２の向きに依存して、基板に対して第２の位置をとるように動作する。第１の位置は、第２の位置とは異なっており、第１の向きは、第２の向きとは異なっている。接触体は、基板に対向する面を有している。この面は、接触体が第１の位置をとる場合に、第１の電気接点の第１のペアと電気的に相互接続し、及び接触体が第２の位置をとる場合に、第２の電気接点の第２のペアと電気的に相互接続するように構成されている。
【００１２】
姿勢センサの実施形態では、接触体及び電気接点の複数のペアは、異物（埃、湿度等）の侵入に対して実質的に密閉された区画内に収容されている。
姿勢センサのさらなる実施形態では、接触体は、旋回軸上で旋回するように配置されている。旋回軸は、基板に対して固定されている。接触体は、旋回軸から離れて位置する重心を有する。
姿勢センサの別の実施形態では、接触体は、導電性材料の表面を有するストリップとして形成されている。
【図面の簡単な説明】
【００１３】
【図１】手持ち式電子装置のブロック図である。
【図２】手持ち式電子装置のブロック図である。
【図３】本発明の姿勢センサの実施形態を示す図である。
【図４】本発明の姿勢センサの実施形態を示す図である。
【図５】本発明の姿勢センサの実施形態を示す図である。
【図６】本発明の姿勢センサの実施形態を示す図である。
【図７】本発明の姿勢センサの実施形態を示す図である。
【図８】本発明の姿勢センサの実施形態を示す図である。
【発明を実施するための形態】
【００１４】
本発明は、添付の図面を参照して例としてさらに詳細に説明する。
図面を通して、同様の又は対応する特徴は、同じ参照符号によって示されている。
図１は、第１の手持ち式電子装置１００のブロック図である。第１の手持ち式電子装置１００は、ユーザが第１の手持ち式電子装置１００と情報をやり取りすることを可能にするように構成されたユーザインタフェース（ＵＩ）１０２を含む。第１の手持ち式電子装置１００は、重力１０６に対する第１の手持ち式電子装置１００の様々な向きを感知するように構成された姿勢センサ１０４と、この姿勢センサ１０４によって感知されるような第１の手持ち式電子装置１００の特定に向きに依存して、例えばＵＩ１０２の第１の手持ち式電子装置１００の動作を制御するように作動する電子回路１０８とを有する。
【００１５】
第１の手持ち式電子装置１００は、例えば、赤外線又はＲＦを介して制御可能な機器を制御するためのリモート制御装置を有している。このような遠隔から制御可能な機器としては、例えば、テレビ、ＤＶＤプレーヤ、オーディオセット、空調システム、家庭照明システム等が挙げられる。別の例（図示せず）では、第１の手持ち式電子装置としては、例えば、スマートフォン、デジタルカメラ、パーソナルデジタルアシスタント（ＰＤＡ）のようなパームトップパソコンが挙げられる。ＵＩ１０２と情報のやり取りを行うことによって、ユーザが、第１の手持ち式電子装置１００によって提供される機能のうちの特定の１つをアクティブにすることが可能になる。
【００１６】
ＵＩ１０２は、人間工学的に形成された、人間工学的にサイズ決めされた、人間工学的に配置されたユーザが選択可能な機能（例えば、ボタン、キー、スライダ、ダイヤル等、図示せず）を収容する。ユーザが選択可能な機能のうちの特定の１つと情報をやり取りすることによって、ユーザが、手持ち式電子装置１００の特定のタイプの動作を選択し且つ開始させることが可能になる。
【００１７】
第１の手持ち式電子装置１００を操作して使用する際に、ユーザは、ＵＩ１０２に対向することができるように、第１の手持ち式電子装置１００の向き合せを行う。この向き合せによって、ユーザが選択可能な機能が利用可能であることを認識するとともに、ユーザが選択可能な機能のうちの１つ又は複数の特定の機能を選択することが可能になる。これにより、ユーザに対する第１の手持ち式電子装置１００の向きは、手持ち式電子装置１００の面のうちのどの面がユーザの方を向いているかによって決定される。ＵＩ１０２と情報のやり取りができるようにするために、ユーザは、典型的に、重力１０６の方向に対してＵＩ１０２が上向きに又は実質的に上向きとなるように、手持ち式電子装置１００の向き合せを行う。その結果、重力１０６の方向に対する手持ち式電子装置１００の向きは、ユーザに対する手持ち式電子装置１００の向きを表すと考えることができる。
【００１８】
姿勢センサ１０４は、重力１０６の方向に対する第１の手持ち式電子装置１００の向きを感知するように構成される。第１の手持ち式電子装置１００の姿勢センサ１０４は、例えば、第１の手持ち式電子装置１００のＵＩ１０２が上向きに又は実質的に上向きにされるときに、すなわちおおよそ重力１０６の方向に対して反平行にされるときに、電子回路１０８をオンにする、及び第１の手持ち式電子装置１００のＵＩ１０２が、実質的に下向きにされるときに、すなわち重力１０６の方向にされるときに、電子回路１０８をオフにする。電子回路１０８をオンにすることは、例えば、電子回路１０８を１つ以上の電池（電気化学セル）等のオンボード電源（図示せず）に接続することにより実現することができる。電子回路１０８をオフにすることは、例えば、電子回路１０８をオンボード電源から切り離すことにより実現することができる。
【００１９】
図２は、第２の手持ち式電子装置２００のブロック図である。第２の手持ち式電子装置２００のＵＩ１０２は、第２の手持ち式電子装置２００の表面に収容される第１のＵＩ部２１０と、第２の手持ち式電子装置２００の反対側の面に収容される第２のＵＩ部２１２とを含む。ＵＩ１０２は、第２の手持ち式電子装置の１つ以上の他の面において追加のＵＩ部（図示せず）を含んでもよい。ＵＩ１０２の空間的な分割は、人間工学的に形成された、人間工学的にサイズ決めされた、人間工学的に配置されたボタン、キー、スライダ、ダイヤル、及びユーザが手持ち式電子装置２００と情報をやり取りする形式を選択することを可能にするような他の手動操作の機能を収容するために、第２の手持ち式電子装置２００で利用可能な表面積を最大限に利用するために必要となる。人間工学的な特徴の形状、サイズ、及び空間配置によって、ユーザが第２の手持ち式電子装置２００のＵＩ１０２と情報をやり取りするような使い易さが決定され、これは例えば、典型的なユーザの人差し指の先端の典型的な寸法に依存する。このことは、典型的には、ＵＩ１０２の手動で操作される機能、例えばボタン又はキーの寸法が、好ましくは、下限の寸法よりも小さくないことを意味し、結果として、ＵＩ１０２の表面積の単位当たりの手動で操作される機能の数が、好ましくは、上限の数以下とされることを意味する。ＵＩ１０２の手動で操作される機能を第２の手持ち式電子装置２００の２つ以上の面に分散させることで、単一の面のみが利用可能である場合に、手持ち式電子装置における複数のユーザ選択可能な手動操作機能を、可能なよりも人間工学的に許容可能な方法で収容することができる。
【００２０】
ユーザに対する第２の手持ち式電子装置２００の向きは、第２の手持ち式電子装置２００の面のうちのどの面がユーザの方を向いているかによって決定される。第１のＵＩ部２１０及び第２のＵＩ部２１２のうちの関連する１つと情報のやり取りをできるようにするために、ユーザは、典型的に、関連するＵＩ部を上向き又は実質的に上向きにするように、すなわち重力１０６の方向に対して実質的に反平行となるように、第２の手持ち式電子装置２００を向き合せする。その結果、重力１０６の方向に対する第２の手持ち式電子装置２００の向きは、第１のＵＩ部２１０及び第２のＵＩ部２１２のどちらか一方がユーザに向けられることを表す。姿勢センサ１０４は、次に、第１のＵＩ部２１０が上向きである場合に、すなわち重力１０６の方向に対して実質的に反平行の方向にある場合に、第１のＵＩ部２１０を活性化し且つ第２のＵＩ部２１２を不活性化し、及び第２のＵＩ部２１２が上向きである場合に、すなわち重力１０６の方向に対して実質的に反平行の方向にある場合に、第２のＵＩ部２１２を活性化し且つ第１のＵＩ部２１０を不活性化するように使用することができる。
【００２１】
図３、図４、図５、図６、図７及び図８は、姿勢センサ１０４の簡素化した低コストの実施形態を示している。図示した実施形態による姿勢センサ１０４は、接触体３００を有する。この接触体は、図３に示される第１面３０２と、図４に示される第２面４０２とを含む。この実施形態における接触体３００は、例えば、銅、アルミニウム、鋼等の全体的に導電性材料で形成されている。この実施形態の接触体３００は、金属のシートから安価な方法で製造することができ、図７及び図８に示されるように、電子回路１０８の基板７０２上で、第１の電気接点７０４の第１のペアと相互接続するように機能する第１の凹部４０４と、第２の電気接点７０６の第２のペアと相互接続するように機能する第２の凹部４０６と有するように示される形状にプレス成型される。接触体３００は、接触体３００に対する第１の凹部４０４の位置によって規定されるような第１ライン（図示せず）に対して実質的に垂直であって、接触体３００に対する第２の凹部４０６の位置によって規定されるような第２ライン（図示せず）に対して実質的に垂直な方向のスロット３０４を有している。接触体３００を操作して使用する際に、スロット３０４は、第１リブ５０２と係合する（図５、図６、図７及び図８を参照）。第１リブ５０２は、第１の手持ち式電子装置１００の又は第２の手持ち式電子装置２００のハウジング（図示せず）に対して固定して取り付けられている。第１リブ５０２は、以下でさらに説明するように、重力の影響下で、接触体３００の動きを案内するのに役立つ。接触体３００は、第２リブ５０４とも係合するようにプロファイルされる（図５、図６、図７及び図８を参照）。第２リブ５０４も、第１の手持ち式電子装置１００の又は第２の手持ち式電子装置２００のハウジング（図示せず）に対して固定して取り付けられている。第２リブ５０４は、第２リブ５０４と、第１のペアの電気接点７０４及び第２のペアの電気接点７０６を収容するような基板７０２との間の位置に接触体３００を維持するのに役立ち、接触体３００が、重力の影響下で旋回し、第１リブ５０２により案内される。
【００２２】
図７から明らかなように、接触体３００は、基板７０２が重力場において接触体３００の上方に位置決めされる場合に、接触体３００が第１のペアの電気接点７０４をブリッジするような第１の位置をとる。図８から明らかなように、接触体３００は、基板７０２が重力場において接触体３００の下に位置決めされる場合に、接触体３００が第２のペアの電気接点７０６をブリッジするような第２の位置をとる。基板７０２は、手持ち式電子装置１００又は２００のハウジングに固定して取り付けられる。図３、図４、図５、図６、図７及び図８に示されるように、接触体３００は、実質的に均一な厚さ及び均一な幅からなる。接触体３００の第１のアームは、図７の第１の位置において第１のペアの電気接点７０４と電気的に相互接続するように、第１の凹部４０４を収容するようなアームである。同様に、接触体３００の第２のアームは、図８の第２の位置において第２のペアの電気接点７０６と電気的に相互接続するように、第２の凹部４０６を収容するような別のアームである。接触体３００は、第２リブ５０４の先端と基板７０２とによって規定される軸上を旋回する。接触体３００の重心がいくらか第２アームに存在する結果として、第１アームは、第２アームよりも実質的に短くなる。接触体３００上の重力の力は、接触体３００の重心に作用する。反力が、基板７０２又は第２リブ５０４によって、旋回軸上に置かれる接触体３００における１つ以上の場所に作用する。結果として得られるトルクによって、長いアームが、短いアームよりも重力場で常に低い位置をとるようになる。その結果、固定された第１のペアの電気接点７０４と固定された第２のペアの電気接点７０６とを組み合わせて接触体３００を旋回させることによって、姿勢センサ１０４として用いることができる。
【００２３】
上述したように、電子回路１０８は、姿勢センサ１０４によって感知されたそれぞれの向きに依存して、第１の手持ち式電子装置１００の又は第２の手持ち式電子装置２００の動作を制御する。姿勢センサ１０４の簡素化した低コストの実施形態では、接触体３００は、想定された向きに依存して、第１のペアの電気接点７０４及び第２のペアの電気接点７０６のうちの一方を同時にブリッジする。好ましくは、想定される特定の向きを決定することは、接触体３００が、第１のペアの電気接点７０４及び第２のペアの電気接点７０６のうちの関連する１つと継続的に電気的にブリッジすることを必要としない。すなわち、電子回路１０８は、好ましくは、第１のペアの電気接点７０４及び第２のペアの電気接点７０６のうちの関連する１つが所定長さの期間に亘って少なくともブリッジされている場合に、特定の向きをとるかを判定するように構成される。同様に、電子回路１０８は、好ましくは、接触体３００が特定の向きに関連付けられた第１のペアの電気接点７０４及び第２のペアの電気接点７０６のうちの特定の１つをブリッジすることを一時的に停止した場合に、特定の向きが変更しないかを判定するように構成される。この理由は、第１の手持ち式電子装置１００又は第２の手持ち式電子装置２００を保持するユーザが、第１の手持ち式電子装置１００又は第２の手持ち式電子装置２００を一瞬だけ移動させることができるということである。移動の結果として、接触体３００は、特定の向きに関連付けられた第１のペアの電気接点７０４及び第２のペアの電気接点７０６のうちの特定の１つから一瞬接続が切れることがある。移動することによって、第１のペアの電気接点７０４及び第２のペアの電気接点７０６のうちの他方が電気的に一時的にブリッジされることもある。さらなる規定がない場合には、電子回路１０８は、次に、第１の手持ち式電子装置１００又は第２の手持ち式電子装置２００の動作モードにおいて変化がトリガされる結果として、向きが変更されたと判断してもよい。従って、電子回路１０８が、第１のペアの電気接点７０４及び第２のペアの電気接点７０６のうちの関連する１つの電気ブリッジが終了したことを感知したときに、電子回路１０８は、第１のペアの電気接点７０４及び第２のペアの電気接点７０６のうちの関連する１つからの切断が、所定長さの期間に亘って少なくとも持続する場合に、及び／又は第１のペアの電気接点７０４及び第２のペアの電気接点７０６のうちの他方との間の相互接続が、更なる所定長さの更なる期間に亘って少なくとも持続する場合に、第１の手持ち式電子装置１００又は第２の手持ち式電子装置２００の動作モードを変更する。
【００２４】
典型的に、手持ち式電子装置、例えばリモート制御装置又はスマートフォンは、この装置のスイッチを完全にオフにしない限り、部分的に利用可能であるオンボードのメイン制御ユニット（ＭＣＵ）を有する。ＭＣＵが部分的に利用可能である場合に、この起動によって、任意のユーザ入力、例えばユーザインタフェースにおいてキーの押下を監視することができ、そして起動化処理は、それに応じて行うことができる。第１の手持ち式電子装置１００又は第２の手持ち式電子装置２００によって想定される向きの決定は、従って、電子回路１０８の一部を形成するＭＣＵによって行うことができる。
【図１】
2015523025.tif 000003
【図２】
2015523025.tif 000004
【図３】
2015523025.tif 000005
【図４】
2015523025.tif 000006
【図５】
2015523025.tif 000007
【図６】
2015523025.tif 000008
【図７】
2015523025.tif 000009
【図８】
2015523025.tif 000010
【手続補正書】
【提出日】平成27年1月6日(2015.1.6)
【手続補正１】
【補正対象書類名】特許請求の範囲
【補正対象項目名】全文
【補正方法】変更
【補正の内容】
【特許請求の範囲】
【請求項１】
手持ち式電子装置であって、当該手持ち式電子装置は：
ユーザが前記手持ち式電子装置と情報をやり取りすることを可能にするように構成されたユーザインタフェースと；
ハウジングと；
該ハウジングに対して固定して取り付けられた基板と；
重力に対する前記手持ち式電子装置の複数の向きのそれぞれを感知するように構成された姿勢センサと；
感知されたそれぞれの向きに依存して、前記手持ち式電子装置の動作を制御するように作動する電子回路であって、該電子回路は前記基板に収容される、電子回路と；を備えており、
前記姿勢センサは、接触体を含み、
該接触体は、重力の制御の下で、前記複数の向きのうちの第１の向きに依存して、前記手持ち式電子装置のハウジングに対する第１の位置をとるように動作し、
前記接触体は、重力の制御の下で、前記複数の向きのうちの第２の向きに依存して、前記ハウジングに対する第２の位置をとるように動作し、
第１の位置は、第２の位置とは異なっており、
第１の向きは、第２の向きとは異なっており、
前記姿勢センサは、前記電子回路に接続された第１の電気接点の第１のペアと前記電子回路に接続された第２の電気接点の第２のペアとを有しており、
第１の電気接点の第１のペアと第２の電気接点の第２のペアとは、前記基板に収容されており、
前記接触体は、前記基板と対向する面を有しており、
前記面は、前記接触体が第１の位置をとる場合に、第１の電気接点の第１のペアと電気的に相互接続し、前記接触体が第２の位置をとる場合に、第２の電気接点の第２のペアと電気的に相互接続するように構成され、
前記接触体は、旋回軸上で旋回するように配置されており、
前記旋回軸は、ハウジングに固定されており、
前記接触体は、前記旋回軸から離れて位置する重心を有する、
手持ち式電子装置。
【請求項２】
前記接触体及び電気接点の複数のペアは、異物の侵入に対して実質的に密閉された区画内に収容されている、
請求項１に記載の手持ち式電子装置。
【請求項３】
前記接触体は、導電性材料の表面を有するストリップとして形成される、
請求項１に記載の手持ち式電子装置。
【請求項４】
ユーザが前記ユーザインタフェースと情報をやり取りすることに応答して、制御可能な装置を遠隔から制御するためのリモート制御装置を備える、
請求項１に記載の手持ち式装置。
【手続補正２】
【補正対象書類名】明細書
【補正対象項目名】０００１
【補正方法】変更
【補正の内容】
【０００１】
本発明は、ユーザが手持ち式電子装置と情報をやり取りすることを可能にするように構成されるユーザインタフェースと、重力に対する手持ち式電子装置の複数の向きのそれぞれを感知するように構成される姿勢センサと、感知されたそれぞれの向きに依存して、手持ち式電子装置の動作を制御するように作動する電子回路とを有する手持ち式電子装置に関する。
【手続補正３】
【補正対象書類名】明細書
【補正対象項目名】０００４
【補正方法】変更
【補正の内容】
【０００４】
本発明者らは、手持ち式電子装置を提案する。この装置は、ユーザが手持ち式電子装置と情報をやり取りすることを可能にするように構成されたユーザインタフェースと、ハウジングと、このハウジングに対して固定して取り付けられた基板と、重力に対する手持ち式電子装置の複数の向きのそれぞれを感知するように構成された姿勢センサと、感知されたそれぞれの向きに依存して、手持ち式電子装置の動作を制御するように作動する電子回路とを有する。電子回路は、基板に収容される。姿勢センサは、接触体を含む。接触体は、重力の制御の下で、複数の向きのうちの第１の向きに依存して、手持ち式電子装置のハウジングに対して第１の位置をとるように動作する。接触体は、重力の制御の下で、複数の向きのうちの第２の向きに依存して、ハウジングに対して第２の位置をとるように動作する。第１の位置は、第２の位置とは異なっており、第１の向きは、第２の向きとは異なっている。姿勢センサは、電子回路に接続された第１の電気接点の第１のペアと、電子回路に接続された第２の電気接点の第２のペアとを有する。第１の電気接点の第１のペアと第２の電気接点の第２のペアとは、基板に収容される。接触体は、基板と対向する面を有している。この面は、接触体が第１の位置をとる場合に、第１の電気接点の第１のペアと電気的に相互接続し、及び接触体が第２の位置をとる場合に、第２の電気接点の第２のペアと電気的に相互接続するように構成されている。
【手続補正４】
【補正対象書類名】明細書
【補正対象項目名】０００７
【補正方法】変更
【補正の内容】
【０００７】
接触体は、旋回軸上で旋回するように配置される。この旋回軸は、ハウジングに固定されており、接触体は、旋回軸から離れて位置する重心を有する。
接触体の重心が旋回軸から離れて位置する場合に、手持ち式電子装置の姿勢が重力方向に対して変化するとき、重力によって接触体が旋回する。旋回は、接触体がそのポテンシャルエネルギーを重力場において最小化することによって引き起こされ、接触体の表面が電気接点のペアの関連する１つに衝突するよって拘束される。旋回軸は、手持ち式電子装置のハウジング内の、このハウジングの内壁から基板に延びるリブの先端によって実現することができる。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【国際調査報告】
2015523025.tif 000011
2015523025.tif 000012